(57)【要約】高鮮明度DVD（HD-DVD）システムにおけるビデオオブジェクトユニット（VOBU）生成方法が開示されている。データパケットの形のHDエンハンストデータが多重化され、標準鮮明度（SD）データとともにVOBUに格納される。VOBUにおいて、SDデータのビデオパケット（V-PCK）とHDエンハンストデータの関係ビデオパケット（V-PCK-HD）が格納される空間はできるだけ短くされる。これにより、HD-DVD光ディスクフォーマットをサポートする将来のエンハンストDVDビデオプレーヤがSDデータおよびHDエンハンストデータにフェッチ、復号、同期する効率が高くなる。さらにまた、このようにデータを格納した光ディスクはよいバックワードコンパチビリティを有する。
2006512835.tif 000002
【特許請求の範囲】
【請求項１】
HD-DVDシステムにおけるVOBU生成方法であって、
ａ．オリジナルHDビデオデータストリームを分割することにより、HDエンハンスメントデータとSDビデオデータストリームを取得するステップと、
ｂ．HDエンハンスメントビデオデータストリーム、SDビデオデータストリーム、オーディオデータストリームを含む全種類のデータストリームをHDエンハンスメントビデオデータパケット（V_PCK_HD）、ビデオデータパケット（V_PCK）、オーディオデータパケット（A_PCK）にそれぞれパックし、一連のVOBUを構成するステップと、を有することを特徴とする方法。
【請求項２】
請求項１に記載の方法であって、前記VOBU中のデータを光ディスクに順番に書き込み、HD-DVDを生成するステップをさらに有することを特徴とする方法。
【請求項３】
請求項１に記載の方法であって、一連のVOBUによりマッピングファイルを生成しHD-DVDディスクを作るステップをさらに有することを特徴とする方法。
【請求項４】
請求項２または３に記載の方法であって、前記V_PCK_HDデータパケットと、それと関係するV_PCKデータパケットは同一のVOBUに連続して配列されていることを特徴とする方法。
【請求項５】
請求項１に記載の方法であって、前記V_PCK_HDデータパケットと前記V_PCKデータパケットは前記VOBU中の同一A_PCKデータパケットを共有することを特徴とする方法。
【請求項６】
請求項１に記載の方法であって、前記HDエンハンストビデオデータストリームは、前記ステップｂの前記V_PCK_HDデータパケットの前記規定された構造に従って、V_PCK_HDパケットにパックされることを特徴とする方法。
【請求項７】
請求項６に記載の方法であって、前記V_PCK_HDデータパケットの構造は、MPEG標準規格における、予約されたStream_ID、すなわち前記ストリームの識別マークを用いて定義されることを特徴とする方法。
【請求項８】
請求項６に記載の方法であって、
前記HDエンハンストビデオデータは前記プライベートストリームに入れられ、
前記V_PCK_HDデータパケットの構造は予約またはプロバイダーにより規定されたSub_Stream_ID、すなわち前記サブストリームの識別マークを用いて定義されることを特徴とする方法。
【請求項９】
V_PCK_HDデータパケットとV_PCKデータパケットとを含むことを特徴とするHD-DVDディスク。
【請求項１０】
請求項９に記載のHD-DVDディスクであって、前記V_PCK_HDデータパケットと関係V_PCKデータパケットは並んで配列されたことを特徴とするHD-DVDディスク。
【請求項１１】
HD-DVDシステムにおけるVOBU生成手段であって、
オリジナルHDビデオデータストリームを分割して、HDエンハンスメントデータとSDビデオデータストリームにするために使用する分離部と、
HDエンハンスメントビデオデータストリーム、SDビデオデータストリーム、オーディオデータストリームを含む全種類のデータストリームをHDエンハンスメントビデオデータパケット（V_PCK_HD）、ビデオデータパケット（V_PCK）、オーディオデータパケット（A_PCK）にそれぞれパックし、一連のVOBUを構成するために使用するマルチプレクサと、を有し、
前記分離部は前記マルチプレクサと結合されることを特徴とする手段。
【請求項１２】
請求項１１に記載の手段であって、前記分離部は
前記オリジナルHDビデオデータストリームの解像度を低下させるために使用する解像度低下手段と、
解像度を低下させた入力データストリームを符号化してSDビデオデータストリームとし、前記SDビデオデータストリームを前記マルチプレクサに送信するために使用するSDエンコーダと、
前記入力SDビデオデータストリームを復号するために使用するデコーダと、
復号された入力SDビデオデータストリームの解像度を向上するために使用する解像度向上手段と、
解像度を向上した入力データストリームと、オリジナル入力HDビデオデータストリームに微分プロセスを実行するために使用する微分手段と、
微分されたデータストリームを符号化してHDエンハンストビデオデータストリームとし、前記HDエンハンストビデオデータストリームを前記マルチプレクサに送信するために使用するHDエンハンストエンコーダとを有することを特徴とする手段。
【請求項１３】
請求項１１または１２に記載の手段であって、前記マルチプレクサはDVD標準規格に合致したマルチプレクサであることを特徴とする手段。
【請求項１４】
HD-DVDディスクを再生する手段であって、
前記HD-DVDディスク中の入力VOBUデータストリームを処理してV_PCK_HDデータパケットとV_PCKデータパケットとするために使用する光波ピッカーと、
前記V_PCK_HDデータパケットとV_PCKデータパケットをそれぞれ復号し、HDエンハンストビデオデータストリームとSDビデオデータストリームとするために使用するHD-DVDデコーダと、
前記入力SDビデオデータストリームの解像度を向上するために使用する解像度向上手段と、
解像度を向上した前記入力SDビデオデータストリームを前記入力HDエンハンストビデオデータストリームとオーバーラップし、高鮮明度テレビの出力とするために使用するオーバーラップ手段とを有することを特徴とする手段。
【請求項１５】
請求項１４に記載の手段であって、
前記HD-DVDデコーダはV_PCK_HDバッファ、V_PCKバッファ、HDエンハンストデコーダ、およびSDデコーダを含み、
前記V_PCK_HDバッファと前記HDエンハンストデコーダは前記V_PCK_HDパケットを順番に処理しHDエンハンストビデオデータストリームとし、
前記V_PCKバッファとSDデコーダは前記V_PCKパケットを順番に処理しSDビデオデータストリームとすることを特徴とする手段。
【発明の詳細な説明】
【技術分野】
【０００１】
本発明はHD-DVD技術に関し、特に、HD-DVDシステムにおけるVOBU生成方法に関する。
【背景技術】
【０００２】
近年、DVDビデオは市場において大きな成功を収めており、高鮮明度標準規格への関心が高まっている。現行のDVDビデオ光ディスクは、720*480@29.94Hzまたは720*576@25Hzの鮮明度のビデオを収容している。本明細書では、このビデオをSD（標準鮮明度）ビデオデータストリームと呼ぶ。エンハンストDVD光ディスクは1280*720または1920*1080の鮮明度のビデオを収納することもできる。本明細書では、このビデオをHD（高鮮明度）ビデオデータストリームと呼ぶ。同じ圧縮技術を使用した場合、高品質のビデオはコードレートおよび／またはビットレートが高いプログラムストリームを必要とする。これは、同じ長さ（135分）のビデオを再生するためには、片面光ディスクの記憶容量（storage）を増やさなければならないということを意味する。そのためには光ディスクの製造技術だけでなくドライブ技術も革新する必要がある。その間接的な影響として、新しいDVDプレーヤと従来のDVDプレーヤの間で互換性を保つことは不可能である。
【０００３】
ビデオビットレートが現行の両面SD-DVD光ディスクのビットレートと等しいとき、光ディスク製造技術を新しくするのではなく、新しいビデオデータ圧縮技術を使用することによりHDビデオ品質を実現できる。この解決方法を用いれば、現行の光ディスク製造ラインでHD光ディスクを製造することができる。さらにまた、現行のDVD光ディスクドライブをHD-DVDビデオプレーヤに使用することができる。DVDコンテントの制作プロセス、ツールのプログラムストリーム符号化システム、プレーヤの復号ICだけを新しくすればよい。しかし、こうしてできるHD-DVD光ディスクは現行のDVDビデオプレーヤとまだコンパチブルではない。
【０００４】
エンハンスト光ディスクは、HDビデオデータストリームを２つの論理レイヤーに分割することによりバックワードコンパチビリティを達成している。１つのレイヤーには現行のDVDプレーヤとコンパチブルなSDビデオデータが入っている。他のレイヤーにはエンハンストビデオデータが入っている。本明細書ではこのエンハンストビデオデータをHDエンハンストビデオデータと呼ぶ。
【０００５】
作られたHD-DVD光ディスクのコンパチビリティをよりよくするために、HDエンハンストビデオデータストリームとSDビデオデータストリームに基づきHD-DVD光ディスクを作るとき、１つの鍵となる原理を守らなければならない。この原理により、新しく作られたHD-DVD光ディスクを現行DVDビデオプレーヤおよび将来のHD-DVDビデオプレーヤの両方でスムースに再生をすることができる。この原理の下、SDデータとそれに関連するHDエンハンストデータとを光ディスクにシステマチックに格納しなければならない。さもないと、HD-DVD光ディスクを再生しているとき、将来のHD-DVDビデオプレーヤで光ディスクのSDビデオデータおよびHDエンハンストビデオデータをフェッチ、復号、同期するときに問題が発生する。現行DVDプレーヤにおけるHD-DVDディスクの再生効果にも影響を与える。
【０００６】
本発明は、HD-DVDシステムにおいてVOBUを生成する方法を提供する。
〔発明の開示〕
本発明の目的は、HD-DVDシステムにおけるVOBU生成方法を提供することである。その方法はSDおよびHDエンハンストデータをフェッチし、復号し、同期するためのHD-DVD光ディスクフォーマットをサポートする将来のエンハンストDVDビデオプレーヤの効率をよくすることができる。さらにまた、本方法で作られたディスクはよいバックワードコンパチビリティを有する。
【０００７】
本発明によるHD-DVDシステムにおけるVOBU生成方法は、
ａ．  オリジナルHDビデオデータストリームを分割することにより、HDエンハンスメントデータとSDビデオデータストリームを取得するステップと、
ｂ．  HDエンハンスメントビデオデータストリーム、SDビデオデータストリーム、オーディオデータストリームを含む全種類のデータストリームをHDエンハンスメントビデオデータパケット（V_PCK_HD）、ビデオデータパケット（V_PCK）、オーディオデータパケット（A_PCK）にそれぞれパックし、一連のVOBUを構成するステップと、を有する。
【０００８】
V_PCK_HDデータパケットとその関係V_PCKデータパケットは同一のVOBUに並んで配列される。V_PCK_HDデータパケットとV_PCKデータパケットはVOBU中の同一A_PCKデータパケットを共有する。
【０００９】
HDエンハンストビデオデータストリームは、前記ステップｂの前記V_PCK_HDデータパケットの前記規定された構造に従って、V_PCK_HDパケットにパックされる。前記V_PCK_HDデータパケットの構造は、MPEG標準規格における、予約されたStream_ID、すなわち前記ストリームの識別マークを用いて定義される。HDエンハンストビデオデータを前記プライベートストリームに入れたのち、前記V_PCK_HDデータパケットの構造は予約またはプロバイダーにより規定されたSub_Stream_ID、すなわち前記サブストリームの識別マークを用いて定義される。
【００１０】
VOBUのデータを光ディスクに順番に書き込み、HD-DVDディスクを作ることができる。一連のVOBUにより作られたマッピングファイルによりHD-DVDディスクを作ることもできる。HD-DVDディスクはV_PCK_HDデータパケットを含む。
【００１１】
HD-DVDシステムにおけるVOBU生成手段は、オリジナルHDビデオデータストリームを分割して、HDエンハンスメントデータとSDビデオデータストリームにするために使用する分離部と、HDエンハンスメントビデオデータストリーム、SDビデオデータストリーム、オーディオデータストリームを含む全種類のデータストリームをHDエンハンスメントビデオデータパケット（V_PCK_HD）、ビデオデータパケット（V_PCK）、オーディオデータパケット（A_PCK）にそれぞれパックし、一連のVOBUを構成するために使用するマルチプレクサと、を有し、前記分離部は前記マルチプレクサと結合される。
【００１２】
前記分離部は、前記オリジナルHDビデオデータストリームの解像度を低下させるために使用する解像度低下手段と、解像度を低下させた入力データストリームを符号化てSDビデオデータストリームとし、前記SDビデオデータストリームを前記マルチプレクサに送信するために使用するSDエンコーダと、前記入力SDビデオデータストリームを復号するために使用するデコーダと、復号された入力SDビデオデータストリームの解像度を向上するために使用する解像度向上手段と、解像度を向上した入力データストリームと、オリジナル入力HDビデオデータストリームに微分プロセスを実行するために使用する微分手段と、微分されたデータストリームを符号化してHDエンハンストビデオデータストリームとし、前記HDエンハンストビデオデータストリームを前記マルチプレクサに送信するために使用するHDエンハンストエンコーダとを有する。
【００１３】
HD-DVDディスクを再生する手段は、前記HD-DVDディスク中の入力VOBUデータストリームを処理してV_PCK_HDデータパケットとV_PCKデータパケットとするために使用する光波ピッカーと、前記V_PCK_HDデータパケットとV_PCKデータパケットをそれぞれ復号し、HDエンハンストビデオデータストリームとSDビデオデータストリームとするために使用するHD-DVDデコーダと、前記入力SDビデオデータストリームの解像度を向上するために使用する解像度向上手段と、解像度を向上した前記入力SDビデオデータストリームを前記入力HDエンハンストビデオデータストリームとオーバーラップし、高鮮明度テレビの出力とするために使用するオーバーラップ手段とを有する。
【００１４】
前記HD-DVDデコーダはV_PCK_HDバッファ、V_PCKバッファ、HDエンハンストデコーダ、およびSDデコーダを含み、前記V_PCK_HDバッファと前記HDエンハンストデコーダは前記V_PCK_HDパケットを順番に処理しHDエンハンストビデオデータストリームとし、前記V_PCKバッファとSDデコーダは前記V_PCKパケットを順番に処理しSDビデオデータストリームとする。
【００１５】
本発明はHD-DVDディスクに対して大きな有利性を有する。HD-DVDディスクの同一のVOBUに同じ瞬間のSDビデオデータとその関係HDエンハンストビデオデータが保存されているので、将来のHD-DVDプレーヤはSDデータとHDエンハンストデータに容易のフェッチ、復号、同期することができる。本発明による方法で作成されたHD-DVDディスクは、よいバックワードコンパチビリティを有する。現行のDVDプレーヤは追加されたHDエンハンストビデオデータパケット（V_PCK_HD）を特定できないので、このV_PCK_HDデータパケットはとばしてHD-DVDディスクを再生する。さらにまた、本発明による方法は現行のDVDプレーヤからHD-DVDプレーヤへの移行における技術的な困難を少なくすることができる。
【００１６】
〔実施形態の詳細な説明〕
実施例と図面を参照してさらに説明する。
【００１７】
本発明で導入される、HD-DVDシステムにおけるVOBU生成方法は、
ａ．オリジナルHDビデオデータストリームを分割してHDエンハンストデータストリームとSDビデオデータストリームを取得するステップと、
ｂ．一連のVOBUを構成するために、HDエンハンストビデオデータストリーム、SDビデオデータストリーム、オーディオデータストリームを含む全種類のデータストリームをHDエンハンストビデオデータパケット（V_PCK_HD）、ビデオデータパケット（V_PCK）、オーディオデータパケット（A_PCK）にそれぞれパックするステップと、を有する。
【００１８】
図１は、HD-DVDシステムにおいてVOBUを生成する本発明による手段を示す。鮮明度が1920*1080であるHDオリジナルデータストリームを例にする。
【００１９】
最初に、図１に示したように、分離部１１０は、入力HDオリジナルビデオデータストリームをHDエンハンストビデオデータストリームとSDビデオデータストリームとに分割する。このプロセスの実施形態は以下の通りである。鮮明度が1920*1080の入力HDオリジナルデータストリームを解像度低下部１１１とSDエンコーダ１１２とを順次通し、解像度を低下させ、解像度が低下したデータを符号化する。これにより、鮮明度が720*576のSDビデオデータストリームを得る。鮮明度が720*576の符号化SDビデオデータストリームをデコーダ１１３と解像度向上手段１１４とを順番に通し、復号し、解像度を向上させる。これにより、鮮明度が1920*1080のデータストリームを得る。そして、微分手段１１５により更新データストリームと入力HDオリジナルビデオデータストリームとに微分プロセスを実行する。最後に、微分されたデータストリームをHDエンハンスメントエンコーダ１１６により符号化して、鮮明度が1920*1080のHDエンハンストビデオデータストリームを得る。
【００２０】
次に、図１に示したように、分離部１１０により分割されたHDエンハンストビデオデータストリームとSDデータストリーム、およびアシスタントデータストリーム、オーディオデータストリーム、サブピクチャデータストリームその他の処理されたデータストリームをDVDマルチプレクサ１２０に入力する。図２は、現行DVDマルチプレクサの主要多重化アクセスを示す図である。
【００２１】
図２に示したように、最初にDVDマルチプレクサは、HDエンハンストビデオデータストリーム、SDビデオデータストリーム、オーディオデータストリームを含む全種類の入力データをエンコーダからフェッチする。その後、マルチプレクサはデータが有用かどうか判断し、有用でなければ、動作を終了する。有用であれば、バッファの最低利用可能空間によりデータタイプを選択する。データタイプを決定した後、マルチプレクサは、データサブパケットを多重送信するとシステムターゲットデコーダ（STD）がオーバーロードするかどうかを判断する。オーバーロードしなければ、マルチプレクサは、PESヘッドを加え、データサブパケットを保存し、SCRを新しくし、バッファ空間を新しくし、フェッチされたデータが有用かどうかの判断を継続し、サイクルを構成する。オーバーロードするときは、データサブパケットを保存する十分な空間ができるまでSCRを増加させ、その後、PESヘッドを加え、データサブパケットを保存し、SCRを新しくし、バッファ空間を新しくし、フェッチされたデータが有用かどうかの判断を継続し、サイクルを構成する。
【００２２】
第３に、図１に示したように、DVDマルチプレクサ１２０は、HDエンハンストビデオデータストリーム、SDビデオデータストリーム、アシスタントデータストリーム、オーディオデータストリーム、サブピクチャデータストリームを含む全種類の入力データストリームを、HDエンハンスメントビデオデータパケット（V_PCK_HD）、ビデオデータパケット（V_PCK）、アシスタントビデオデータパケット（NV_PCK）、オーディオデータパケット（A_PCK）、サブピクチャデータパケット（SB_PCK）にそれぞれパックされ、一連のVOBU、すなわちVOBファイルを構成する。前記V_PCK_HDデータパケットとそれと関係するV_PCKデータパケットは、同一のVOBU内に続けて配列される。
【００２３】
DVDマルチプレクサ１２０は、上記のV_PCK_HDの構造に従ってHDエンハンスメントビデオデータパケットをパックし、HD-DVDプレーヤがビデオを再生中にHDエンハンストビデオデータを特定できるようにする。
【００２４】
V_PCK_HDデータパケットの構造の決め方はいくつかある。例えば、V_PCK_HDデータパケットの構造をMPEG標準規格の予約されたStream_ID（ストリームの識別マーク）により規定することもできる。これは図３に示した。
【００２５】
図３は、本発明の第１のV_PCK_HDデータパケットを示す概略図である。図３に示したように、Stream_IDを除いて、V_PCK_HDデータパケットの構造はSDビデオデータパケットとすべて同じである。言い換えると、SDビデオデータパケット（V_PCK）を特定するために0xE0を使用するのと同じように、HDエンハンストデータを含むV_PCK_HDパケットを特定するために0xFAを使用する。すなわち、
V_PCK_HDデータパケット・・・・・Stream_ID：  111  1010b（0xFA:MPEG標準では予約されている）
もう一つの方法は、図４に示したように、HDエンハンスメントビデオデータをプライベートストリームに入れ、V_PCK_HDデータパケットの構造を予約またはプロバイダーにより規定されたSub_Stream_ID、すなわち、サブストリームの識別マークにより定義することである。
【００２６】
図４は、本発明のV_PCK_HDデータパケットを定義する第２の方法を示す概略図である。図４に示したように、Sub_Stream_ID（サブストリームの識別マーク）を除き、V_PCK_HDデータパケットの構造定義はSDサブピクチャデータパケットとすべて同一である。言い換えると、SDサブピクチャデータパケットでStream_IDを使用するのと全く同様に、HDエンハンスメントデータを含むV_PCK_HDを特定するためにSub_Stream_ID（サブストリームの識別マーク）0xFFを使用する。すなわち、
V_PCK_HDデータパケット・・・・・Stream_ID:  1011  1101b  (0xBD:  Private_Stream_1)
Sub_Stream_ID:  1111  1101b  (0xFF:  プロバイダー定義ストリーム)
図４において、「*1」はV_PCK_HDデータパケットのサブパケットヘッドの大きさがSD_V_PCKのサブパケットヘッドの大きさと同じと決められていることを表す。
【００２７】
もちろん、V_PCK_HDデータパケットの構造は他の方法で決めることもできる。
【００２８】
さらにまた、V_PCK_HDデータパケットとV_PCKデータパケットの数は、同じVOBUでも固定されていない。V_PCK_HDデータパケットとV_PCKデータパケットの数は、データストリーム全体のビットレートと、すべての入力データストリームのビットレートと、多重化アクセスにおいて使用するすべてのストリームバッファの大きさに依存する。
【００２９】
図５は、本発明による方法で生成されたV_PCK_HDデータパケットを含むVOBUの構造を示す図である。図５に示したように、NV_PCKデータパケット、A_PCKデータパケット、SP_PCKデータパケット、V_PCKデータパケットは、それぞれSD-DVDビデオのナビゲーションデータパケット、オーディオデータパケット、サブピクチャデータパケット、ビデオデータパケットを表す。V_PCK_HDデータパケットはHDエンハンストデータを含むビデオデータパケットを表す。主としてV_PCK_HDデータパケットとV_PCKデータパケットは同一のA_PCKデータパケットを共有する。V_PCK_HDデータパケットとV_PCKデータパケットは同一のNV_PCKデータパケットとSP_PCKデータパケットを共有することもあり、NV_PCKデータパケットはHDビデオナビゲーションの要求に従って変更できる。現行DVDビデオのVOBU構造と比較して、本発明では、SD  V_PCKデータパケットと関係するHDエンハンストビデオデータパケット（V_PCK_HDデータパケット）がVOBUに挿入される。
【００３０】
最後に、図１に示したように、HDエンハンストビデオデータを含む、図５に示したVOBUの全種類のデータは、DVD光ディスクに順番に書き込みHD-DVDディスク１３０を作る。HD-DVDディスク１３０中のV_PCK_HDデータパケットとその関係V_PCKデータパケットは同一のVOBUに並んで配列され、光ディスクはバックワードコンパチブルとできる。
【００３１】
他の方法は、図５に示した一連の前記VOBUによりマッピングファイル１４０を生成し、多数のHD-DVDディスクを作ることである。
【００３２】
図６（ａ）は、現行のSDTVプレーヤの構造の一部を示す概略図である。鮮明度が720*576であるSDデータストリームを例にする。図６（ａ）に示したように、鮮明度が720*576であるSDTV出力は、単に鮮明度が720*576であるSDビデオデータストリームを復号することにより取得することができる。
【００３３】
図６（ｂ）は、本発明によるHDTVプレーヤの構造の一部を示すブロック図である。鮮明度が720*576であるSDデータストリームと鮮明度が1920*1080であるHDエンハンストビデオデータストリームを例にとる。図６（ｂ）に示したように、光波ピッカー６１０は、HD-DVDディスク中の入力VOBUデータストリームを処理し、V_PCK_HDデータパケットとV_PCKデータパケットを得る。HD-DVDデコーダ６２０は、V_PCK_HDデータパケットとV_PCKデータパケットをそれぞれ復号し、鮮明度が1920*1080であるHDエンハンストビデオデータストリームと鮮明度が720*576であるSDビデオデータストリームを得る。解像度向上手段６３０は、入力SDビデオデータストリームの解像度を向上し、鮮明度が1920*1080であるHDビデオデータストリームを得る。オーバーラップ手段６４０は、解像度が向上された入力SDビデオデータストリームを入力HDエンハンストビデオデータストリームとオーバーラップし、HDTV（高鮮明度テレビ）の出力を得る。
【００３４】
前記HD-DVDデコーダ６２０は、V_PCK_HDバッファ６２１、V_PCKバッファ６２２、HDエンハンストデコーダ６２３、SDデコーダ６２４を含む。V_PCK_HDバッファ６２１とHDエンハンストデコーダ６２３は入力V_PCK_HDパケットを順番に処理し、鮮明度が1920*1080であるHDエンハンストビデオデータストリームを得る。V_PCKバッファ６２２とSDデコーダ６２４は入力V_PCKパケットを順番に処理し、鮮明度が720*576であるSDビデオデータストリームを得る。
【００３５】
HDTVプレーヤで使用される他のデバイスは、すべて現行の技術を使用しているので、図６（ｂ）には示していない。
【００３６】
異なるコードレートでHDデータストリームを使用してHD-DVDディスクを作ることにより、本発明による方法で制作された光ディスクがバックワードコンパチブルであるかどうかテストした。現行のDVDディスク製造ツールを改良し、HD-DVDディスクのマッピングファイルを作り、そのマッピングファイルをDVD+RWディスクにコピーし、現行のDVDプレーヤで再生した。現行のDVDプレーヤはStream_ID（第１の構造定義方法）またはSub_Stream_ID（第２の構造定義方法）のいずれかを特定できないので、現行のDVDプレーヤは、HDエンハンストビデオデータはスキップし、SDビデオデータのみを再生した。以下の表により、HD-DVDディスクはバックワードコンパチブルであることが分かる。しかし、HDビデオビットレートは高すぎるので、ビデオとオーディオの再生のなめらかさに多少影響を与える。
【００３７】
表１は、本発明による方法で作成されたHD-DVDディスクを現行DVDプレーヤで再生したテスト結果を示す。
【００３８】
【表１】
2006512835.tif 000003
【図面の簡単な説明】
【００３９】
一例として本発明を詳細に説明したが、添付した以下の図面を参照した。
【図１】HD-DVDシステムにおいて、VOBUを生成する本発明の手段を示すブロック図である。
【図２】現行の標準DVDマルチプレクサの多重化アクセスの主要サイクルを示すフロー図である。
【図３】本発明によるV_PCK_HDデータパケットの第１の構造を示す概略図である。
【図４】本発明によるV_PCK_HDデータパケットの第２の構造を示す概略図である。
【図５】本発明の方法により生成されたV_PCK_HDデータパケットを有するVOBU構造を示す概略図である。
【図６ａ】現行SDTVプレーヤの構造の一部を示すブロック図である。
【図６ｂ】本発明のHDTVプレーヤの構造の一部を示すブロック図である。
【図１】
2006512835.tif 000004
【図２】
2006512835.tif 000005
【図３】
2006512835.tif 000006
【図４】
2006512835.tif 000007
【図５】
2006512835.tif 000008
【図６ａ】
2006512835.tif 000009
【図６ｂ】
2006512835.tif 000010
【国際調査報告】
2006512835.tif 000011
2006512835.tif 000012
2006512835.tif 000013